(57)【特許請求の範囲】
【請求項１】
フレーム内にユニットが着脱可能に収納されるユニット交換型フィルタ装置において、
前記フレームが平板状の上板と、断面コ字型に形成された底板と、断面コ字型に形成され、内面に突出物が突出する一対の側板とからなり、
前記ユニットは濾過材と前記上板とが一体化しており、前記側板の内面に突出する突出物を覆うように前記側板の内面の端部に前記ユニットの装着方向を規制する規制板を設けたことを特徴とするユニット交換型フィルタ装置。
【請求項２】
規制板をユニットの装着方向全部に渡って設けたことを特徴とする請求項１に記載のユニット交換型フィルタ装置。
【請求項３】
規制板をフレームの奥行き方向両端部に各々独立して設けたことを特徴とする請求項１又は２のいずれかに記載のユニット交換型フィルタ装置。
【請求項４】
規制板をフレームの奥行き方向全部に渡って設けたことを特徴とする請求項１〜３のいずれかに記載のユニット交換型フィルタ装置。
【発明の詳細な説明】
【０００１】
【発明の属する技術分野】
本発明は、フレーム内にユニットが着脱可能に収納されるユニット交換型フィルタ装置に関する。
【０００２】
【従来の技術】
従来、フレーム内にユニットが着脱可能に収納されるユニット交換型フィルタ装置としては、例えば図５及び図６に示すものが提案されている。このフィルタ装置１は、上板２ａと底板２ｂと一対の側板２ｃ、２ｃとからなるフレーム２と、このフレーム２内に着脱可能に収納されるユニット３とによって構成されており、空調機器に設けられた所定部に装填される。
【０００３】
このユニット交換型フィルタ装置１は、前記フレーム２の上板２ａがユニット３と一体に設けられていて、図５及び図６に示すように、滑らすことでユニット３がフレーム２内に着脱可能に収納されるようになっている。またこのユニット交換型フィルタ装置１の側板２ｃ、２ｃには、これらに側板２ｃ、２ｃ間に跨るように、フレーム２を補強するための補強部４がリベット５で固定されている。
【０００４】
【発明が解決しようとする課題】
ところが上記フィルタ装置１は、フレーム２（側板２ｃ、２ｃ）に補強部４を固定するリベット５が側板２ｃ、２ｃの内面側に突出していた。このため、ユニット３を滑らすことでフレーム２内に装着するときに、前記リベット５の突出部分がユニット３と接触して、スムーズな装着を図ることが難しく、最悪の場合、ユニット３に装着方向に沿った傷が入り、これが原因でエアーリークが発生するという不具合を生じる恐れがあった。
【０００５】
また、前記リベット５との接触でユニット３に傷が生じた場合には、その部分にエアーが集中するので、ユニット３はそのエアーに煽られて不安定になる。場合によっては、ユニット３自体が吹き飛ばされる可能性もあった。
【０００６】
本発明は、上述の技術的課題に鑑みなされたものであり、補強部を固定するリベットなど、フレーム内面に突出する突出物が存在していても、それに接触することなく、スムーズにユニットを装着することができるユニット交換型フィルタ装置を提案することを目的とするものである。
【０００７】
【課題を解決するための手段】
すなわちこのユニット交換型フィルタ装置（以下フィルタ装置という）は、フレーム内にユニットが着脱可能に収納されるユニット交換型フィルタ装置において、
前記フレームが平板状の上板と、断面コ字型に形成された底板と、断面コ字型に形成され、内面に突出物が突出する一対の側板とからなり、
前記ユニットは濾過材と前記上板とが一体化しており、前記側板の内面に突出する突出物を覆うように前記側板の内面の端部に前記ユニットの装着方向を規制する規制板を設けたことを特徴とするユニット交換型フィルタ装置側板の内面の端部に前記ユニットの装着方向を規制する規制板を設けたことを特徴とするものである。
【０００８】
このフィルタ装置にあっては、上板と底板と一対の側板とからなるフレーム内に、濾過材と前記上板とが一体化したユニットを装着するとき、前記ユニットが前記側板の内面に突出する突出物を覆うように側板の内面の端部に設けた規制板に規制されながら装着されるようになっているので、装着過程でユニットがフレーム内面に突出する突出物と直接接触することがない。
【０００９】
また規制板は、ユニットの装着方向全部に渡って設けることができ、この場合、ユニットは前記規制板に沿ってスムーズにフレーム内に装着されるようになる。
【００１０】
また規制板は、前記フレームの奥行き方向（エアーが通過する方向）両端部に各々独立して設けることもでき、この場合、ユニットは、この規制板に沿ってフレームの奥行き方向両端部で規制されながら装着されるようになる。
【００１１】
また規制板は、前記フレームの奥行き方向（エアーが通過する方向）全部に渡って連続して設けることもでき、この場合、ユニットは、この規制板に沿ってフレームの奥行き方向全部に渡って規制されると共に、上記奥行き方向とは直角を成す方向にも規制されながら装着できるようになる。
【００１２】
【発明の実施の形態】
以下、本発明のフィルタ装置を、図面に示す実施の形態に従ってさらに詳しく説明する。尚、添付図面には、いずれもフレーム１２内にユニット１３が着脱可能に収納されるフィルタ装置１１であって、フレーム１２の上方よりユニット１３が装着されるようにしたフィルタ装置１１を記載した。これらのフィルタ装置における「ユニットの装着方向」とは、フレームの上方から下方へ至る方向を指す。
【００１３】
まず、図１及び図２に示すフィルタ装置について説明する。このフィルタ装置１１は、フレーム１２の奥行き方向（エアーが通過する方向）両端部に各々独立して規制板１６を設けたものである。
【００１４】
フレーム１２は、平板状の上板１２ａと断面コ字型に形成された底板１２ｂ及び一対の側板１２ｃ、１２ｃとからなり、上板１２ａは、後述する濾過材を保持してユニット１３を構成しており、前記底板１２ｂとこの底板１２ｂ両端部より立設する一対の側板１２ｃ、１２ｃとから、前記ユニット１３（詳しくは濾過材）を着脱可能に収納する収納部が構成されるようになっている。
【００１５】
底板１２ｂと一対の側板１２ｃ、１２ｃは、その端部連結部分で４５゜の突当形状を有し、それぞれ図３に示すＬ字状の連結具２０によって連結されている。また、一対の側板１２ｃ、１２ｃ内面には、それぞれ突片２３がユニット１３の装着方向全部に渡って設けられていて、これら各突片２３によって前記連結具２０が嵌め込まれる嵌め込み部分Ｙが形成されている。さらに図１から理解できる様に、底板１２ｂの内面にも同様の突片を設け、同様な嵌め込み部分Ｙを構成し、連結具２０の他の一辺を嵌合させることによって、底板１２ｂと側板１２ｃとが組み立てられている。
【００１６】
また側板１２ｃ、１２ｃには、これら側板１２ｃ、１２ｃ間を跨るように補強杆２１、２１がそれぞれ上流側と下流側とに固定されていて、前記底板１２ｂと一対の側板１２ｃ、１２ｃとからなる収納部の補強が計られている。
【００１７】
この補強杆２１を各側板１２ｃ、１２ｃ間に固定するリベット２２は、その先端部分がフレーム１２の内面、すなわち側板１２ｃ、１２ｃの内面側に突出している。このため、このままでは、ユニット１３を装着するときに、リベット２２の先端部分がユニット１３に接触し、同ユニット１３に装着方向に沿った傷が入り、これが原因でエアーリークが発生するという不具合を生じる恐れがある。
【００１８】
このような事態を未然に防止するため、このフィルタ装置１１にあっては、ユニット１３の装着方向を規制する規制板１６が、各側板１２ｃ、１２ｃ内面から突出するリベット２２の先端部分を覆うように、各側板１２ｃ、１２ｃ内面の上流側端部と下流側端部とに、それぞれ前記ユニット１３の装着方向全部に渡って設けられている。
【００１９】
ユニット１３は、前記各側板１２ｃ、１２ｃ内面の上流側端部と下流側端部とに設けた規制板１６によって規制されながら、これら規制板１６に沿って装着されるようになっている。
【００２０】
このため、ユニット１３は、その装着時に各側板１２ｃ、１２ｃ内面から突出するリベット２２の先端部分と直接接触することはない。
【００２１】
尚、前記各規制板１６は、それらによって規制される規制の範囲が、ユニット１３の外寸（詳しくは濾過材の外寸）と同じかそれよりも僅かに大きくなるように設けられている。
【００２２】
次に、前記フレーム内に収納されるユニットについて説明する。ユニット１３は特に限定されるものではなく、フィルタ装置の大きさ、形状、設置場所、あるいは要求される濾過性能、用途などを考慮して適宜決定すればよい。
【００２３】
ユニット１３を構成する濾過材の好ましい例としては、例えば、バインダ接着不織布、水流絡合不織布、ニードルパンチ不織布、繊維融着不織布、メルトブロー不織布、スパンボンド不織布、或いは紙などを単独で又は適宜組み合わせたものなどを挙げることができる。なお、エレクトレット加工されているなど、各種後加工された濾過材は濾過性能が優れているためより好適である。また、粗密構造を有する濾過材も濾過性能が優れているため好ましい。
【００２４】
濾過材を構成する繊維もまったく任意であり、例えば、レーヨンなどの再生繊維、アセテートなどの半合成繊維、ナイロン繊維、ビニロン繊維、ビニリデン繊維、ポリ塩化ビニル繊維、ポリエステル繊維、アクリル繊維、ポリエチレン繊維、ポリプロピレン繊維、ポリクラール繊維などの合成繊維、綿などの植物繊維、羊毛などの動物繊維、或いは２種類以上の樹脂を繊維断面において芯鞘状、貼り合わせ状、海島状、多重バイメタル状、オレンジ状などに組み合わせた、熱融着性、巻縮発現性、或いは分割性を有する複合繊維を１種類以上使用できる。
【００２５】
ユニット１３は平板状の濾過材を備えたものであっても良いが、折り加工したものであると、濾過性能がより優れているため好適である。折り加工方法としては、例えば、レシプロ式、ロータリー式などのプリーツ加工機による方法や、ジグザグ形状に成形された押型でプレスする方法などがある。折り加工した濾過材の折り襞の高さ及び隣接する折り襞の間隔としては、折り襞の高さが１０〜２５０ｍｍ程度、隣接する折り襞の間隔が２ｍｍ〜１０ｍｍ程度であるのが好ましい。なお、折り加工した濾過材に対して連続的に、又は間欠的にホットメルト樹脂を塗布するなどして、隣接する折り襞同士が風圧によって密着しないようにするとよい。また、単にジグザグ状に折り加工した濾過材以外に、ジグザグ状に折り加工し、更にＷ状に折り加工したものも使用できる。
【００２６】
このユニット１３は前記上板１２ａに濾過材が保持されている。濾過材の保持は、例えばホットメルト樹脂や気体を混入して2〜4倍程度に発泡させた独立気泡型ホットメルト樹脂、ウレタン、エポキシ系接着剤などによる接着方法など、従来公知の方法により行うことができる。
【００２７】
尚、図面に示す形態では、さらにユニット１３と収納部を構成するフレームとの間で隙間が生じないようにするため、ユニット１３の空気濾過面を除く各面に、不織布、ゴム、ネオプレンやポリエチレンなどの発泡体、或いはこれらを適宜組み合わせたものなどからなる密着部材２４を設けた。
【００２８】
さらに、上板１２ａの奥行き方向（エアーが通過する方向）両端部には、前述した側板１２ｃ端部の突当形状に対応する形状の部材を設ける。これによって、ユニットの装着状態をより確実なものとすることができる。
【００２９】
次に、図４に示すフィルタ装置について説明する。このフィルタ装置１１は、規制板１６をフレーム１２の奥行き方向（エアーが通過する方向）全部に渡って設けたものである。尚、このフィルタ装置は、フレームの基本構成及びユニットが、図１及び図２に記載した形態と同じであるため、その説明は割愛し、本形態の特徴的な部分のみ説明する。
【００３０】
図４に示すフィルタ装置１１は、各側板１２ｃ、１２ｃ内面の上流側端部と下流側端部とに各側板１２ｃ、１２ｃ内面から突出するリベット２２の先端部分を覆うように、ユニット１３の装着方向を規制する規制板１６ａをそれぞれ前記ユニット１３の装着方向全部に渡って設けるとともに、前記上流側の規制板１６ａと下流側の規制板１６ａとを結ぶように奥行き方向に渡って規制板１６ｂをそれぞれ前記ユニット１３の装着方向全部に渡って設けている。
【００３１】
ユニット１３は、これら規制板１６ａと規制板１６ｂとによって規制されながら、これら規制板１６ａ、１６ｂに沿って装着されるようになっている。このため、ユニット１３は、その装着時に各側板１２ｃ、１２ｃ内面から突出するリベット２２の先端部分と直接接触することもない。
【００３２】
尚、前記規制板１６ｂは、フレーム１２の奥行きが深くなる時には、規制板１６ｂの側板１２ｃ、１２ｃ側面にリブ２５を設けて、その補強を計ることもできる。
【００３３】
尚、前記各規制板１６ａ、１６ｂは、それらによって規制される規制の範囲が、ユニット１３の外寸と同じかそれよりも僅かに大きくなるように設けられている。
【００３４】
尚、この形態の場合、連結具２０が嵌め込まれる嵌め込み部分Ｙが、前記規制板１６ａ、１６ｂによって密閉状態となるように設けられている。
【００３５】
尚、上に示した例は単なる説明例にすぎず、例えば図１及び図２に示す一対の側板１２ｃ、１２ｃと規制板１６と突片２３とを、あるいは図４に示す一対の側板１２ｃ、１２ｃと規制板１６ａ、１６ｂと突片２３とを、難燃性の合成樹脂により一体成形するなど、特許請求の範囲に記載した範囲で自由に変更することができる。
【００３６】
【発明の効果】
このフィルタ装置にあっては、上板と底板と一対の側板とからなるフレーム内に、濾過材と前記上板とが一体化したユニットを装着するとき、側板の内面に突出する突出物を覆うように前記側板の内面の端部に前記ユニットの装着方向を規制する規制板を設けた規制板に規制されながら前記ユニットが装着されるようになっているので、装着過程でユニットがフレーム内面に突出する突出物と直接接触することがなく、突出物との接触によりユニットに傷が入り、これが原因でエアーリークが発生するという不具合を生じる恐れがない。
【００３７】
またこのフィルタ装置は、ユニットの装着方向全部に渡って設けられている規制板に規制されながら、ユニットが同規制板に沿って装着されるようになっているので、ユニットのフレーム内への装着がスムーズ、かつ確実である。
【００３８】
またこのフィルタ装置は、規制板を前記フレームの奥行き方向両端部に各々独立して設けることもでき、この場合、ユニットは、この規制板に沿ってフレームの奥行き方向両端部で規制されながら装着されるようになる。
【００３９】
またこのフィルタ装置は、規制板を前記フレームの奥行き方向全部に渡って設けることもでき、この場合、ユニットは、この規制板に沿ってフレームの奥行き方向全部に渡って規制されると共に、上記奥行き方向とは直角を成す方向にも規制されながら装着されるようになり、より確実でスムーズな装着を実現することができる。
【図面の簡単な説明】
【図１】 本発明のフィルタ装置を示し、ユニットをフレーム内に装着する状態を示した分解斜視図。
【図２】 同じくユニットの装着方向から見た平面図。
【図３】 連結具を示す斜視図。
【図４】 本発明の別のフィルタ装置を装着方向から見た平面図。
【図５】 従来のフィルタ装置を装着方向から見た平面図。
【図６】 同じくのユニットの装着方向から見た平面図。
【符号の説明】
１２ ・・・フレーム
１２ａ・・・上板
１２ｂ・・・底板
１２ｃ・・・側板
１３ ・・・ユニット
１６、１６ａ、１６ｂ ・・・規制板
２１ ・・・補強杆
２２ ・・・リベット
２３ ・・・突片
【図１】
0004217931.tif 000002
【図２】
0004217931.tif 000003
【図３】
0004217931.tif 000004
【図４】
0004217931.tif 000005
【図５】
0004217931.tif 000006
【図６】
0004217931.tif 000007